(57)【要約】【課題】紙葉類を識別し計数して種類別に帯封する紙葉類処理装置において、紙葉類に損傷を与えることなく紙帯を切断して開封し１枚ずつ識別し計数できるようにする。【解決手段】束の紙葉類２ａを投入可能な入金部２４と、前記投入された束の紙葉類２ａの略中央部を押圧して短手方向に撓ませるクランパ部１５と、当該撓んだ束の紙葉類２ａの紙帯２ｃを挟持して切断し当該紙帯２ｃを回収するキャッチ部１６とからなる束開封手段１２と、を備え、前記入金部２４に投入された束の紙葉類２ａを前記束開封手段１２により開封し１枚ずつ計数できるようにした。【選択図】図１
2011123847.tif 000002
【特許請求の範囲】
【請求項１】
紙葉類を識別し計数して種類別に帯封する紙葉類処理装置において、
束の紙葉類を投入可能な束投入部と、
前記投入された束の紙葉類の略中央部を押圧して短手方向に撓ませるクランパ部と、当該撓んだ束の紙葉類の紙帯を挟持して切断し当該紙帯を回収するキャッチ部とからなる束開封手段と、を備え、
前記束投入部に投入された束の紙葉類を前記束開封手段により開封し１枚ずつ計数できるようにしたことを特徴とする紙葉類処理装置。
【請求項２】
前記キャッチ部は、カッタ部と当該カッタ部に対向し紙帯を挟持する紙帯押え部とからなることを特徴とする紙葉類処理装置。
【請求項３】
前記束開封手段から紙葉類を繰り出すときに、正常に繰り出されたかどうかを検出して紙帯カットが正常に行われたどうかを判定できるカット結果判定手段を備えたことを特徴とする請求項１記載の紙葉類処理装置。
【請求項４】
束の紙葉類は通過できない通過孔から繰出しローラにて紙葉類を繰り出し、繰出し確認センサにて繰出しを確認して紙帯カットが正常に行われたどうかを判定できる分離可否判定手段を備えたことを特徴とする請求項１記載の紙葉類処理装置。
【請求項５】
前記束開封手段は、前記投入された束の紙葉類の略中央部を押圧して短手方向に撓ませるクランパ部と、当該撓んだ束の紙葉類の紙帯を挟持するキャッチ部と、を備え、
当該挟持した紙帯を前記紙葉類の長手方向に引抜いて回収するようにしたことを特徴とする特徴とする請求項１記載の紙葉類処理装置。
【請求項６】
前記束開封手段は、前記投入された束の紙葉類の略中央部を押圧して短手方向に撓ませるクランパ部と、当該撓んだ束の紙葉類の紙帯を挟持するキャッチ部と、糊を融解するヒータ部と、を備え、
前記ヒータ部により紙帯の糊付け箇所を加熱して融解して開封し前記キャッチ部により当該紙帯を回収するようにしたことを特徴とする特徴とする請求項１記載の紙葉類処理装置。
【発明の詳細な説明】
【技術分野】
【０００１】
この発明は、紙幣等の紙葉類を紙帯で結束された束の紙葉類を取り扱う紙葉類処理装置に関するものである。
【背景技術】
【０００２】
一般に、束紙幣などを取り扱う紙葉類処理装置において、束紙幣を収納庫に保管する場合は、手作業による開封作業を実施し、バラ紙幣の状態で計数を行い、再度施封処理を実施して束の状態に戻してから収納庫に収納したり、行員の手作業により、束紙幣をそのまま収納庫に収納したりする。
【０００３】
しかしながら、行員の手作業により開封し計数する場合では、スムーズな処理を行うことができず、また、手作業によって束紙幣をそのまま収納庫に収納する場合では、所定枚数の束紙幣となっているかどうか、異金種や偽券が混入していないかなどのチェックや、束金種の指定は、作業者に依存することになり、ミスや不正が発生するおそれがあった。
【０００４】
上記課題を解決するために、結束材により結束された紙葉類を投入させる第２の投入口を備え、当該第２の投入口から投入された結束紙葉類の結束材の側面をカッタによりカットして開封する開封手段と、当該開封手段により開封された紙葉類を一枚ずつ取込み、計数処理部に送る取込み手段とを具備したことを特徴とする紙葉類処理装置はあった（例えば、特許文献１参照。）。
【先行技術文献】
【特許文献】
【０００５】
【特許文献１】特開昭６２−７０１２６号公報
【発明の概要】
【発明が解決しようとする課題】
【０００６】
しかしながら、上記従来の紙葉類処理装置では、行員による手作業はなくすことができるが、結束材の側面をカッタによりカットして開封するために、特に、使用紙幣を施封した場合などでは、結束材とともに紙幣の端部をもカットしてしまう場合があった。
【課題を解決するための手段】
【０００７】
本発明は、前述の課題を解決するため次の手段を採用する。すなわち、紙葉類を識別し計数して種類別に帯封する紙葉類処理装置において、束の紙葉類を投入可能な束投入部と、前記投入された束の紙葉類の略中央部を押圧して短手方向に撓ませるクランパ部と当該撓んだ束の紙葉類の紙帯を挟持して切断し当該紙帯を回収するキャッチ部とからなる束開封手段と、を備え、前記束投入部に投入された束の紙葉類を前記束開封手段により開封し１枚ずつ計数できるようにした。
【発明の効果】
【０００８】
本発明の紙葉類処理装置によれば、紙葉類を識別し計数して種類別に帯封する紙葉類処理装置において、束の紙葉類を投入可能な束投入部と、前記投入された束の紙葉類の略中央部を押圧して短手方向に撓ませるクランパ部と当該撓んだ束の紙葉類の紙帯を挟持して切断し当該紙帯を回収するキャッチ部とからなる束開封手段と、を備え、前記束投入部に投入された束の紙葉類を前記束開封手段により開封し１枚ずつ計数できるようにしたので、紙葉類の端部を破損することなく自動で、開封し、計数することができる。
【図面の簡単な説明】
【０００９】
【図１】実施例１の紙葉類処理装置の構成図である。
【図２】実施例１の紙葉類処理装置の要部の機能ブロック図である。
【図３】実施例１の紙葉類処理装置の束開封手段の動作説明図である。
【図４】実施例１の紙葉類処理装置の束開封手段の動作説明図である。
【図５】実施例１の紙葉類処理装置の束開封手段の動作説明図である。
【図６】実施例１の紙葉類処理装置の動作フローチャートである。
【図７】実施例２の紙葉類処理装置の要部の機能ブロック図である。
【図８】実施例２の紙葉類処理装置の束開封手段の動作説明図である。
【図９】実施例２の紙葉類処理装置の動作フローチャート図である。
【図１０】実施例３の紙葉類処理装置の要部の機能ブロック図である。
【図１１】実施例３の紙葉類処理装置のバラ紙幣計数手段の動作説明図である。
【図１２】実施例３の紙葉類処理装置の動作フローチャート図である。
【図１３】実施例４の紙葉類処理装置の要部の機能ブロック図である。
【図１４】実施例４の紙葉類処理装置の束開封手段の動作説明図である。
【図１５】実施例４の紙葉類処理装置の動作フローチャート図である。
【図１６】実施例５の紙葉類処理装置の要部の機能ブロック図である。
【図１７】実施例５の紙葉類処理装置の束開封手段の動作説明図である。
【図１８】実施例５の紙葉類処理装置の束開封手段の動作説明図である。
【図１９】実施例５の紙葉類処理装置の動作フローチャート図である。
【発明を実施するための形態】
【００１０】
以下、本発明に係わる実施の形態例を、図面を用いて説明する。図面に共通する要素には同一の符号を付す。
【実施例１】
【００１１】
（構成）
図１は、実施例１の紙葉類処理装置の構成図である。同図に示したように、実施例１の紙葉類処理装置１は、行員等の操作者の認証や取引種類の指定等の操作を行う表示操作部２２と、バラ紙幣２ｂや束紙幣２ａを入金する入金部２４が装置前面の上部に設けられ、当該入金部２４の下部には、束紙幣２ａの紙帯２ｃをカットする束開封手段１２が設けられている。
【００１２】
また、紙幣処理機上部には、バラ紙幣２ｂとして認識部２３で金種判定され施封対象外となった金種の紙幣を集積して係員に排出するための排出口として、オープンポケット２４ａが複数箇所設けられている。
【００１３】
入金部２４の下部に設けられた束開封手段１２は、後述の図３ないし図５のように、構矢印Ａ方向に移動して束紙幣２ａを湾曲させるクランパ部１５と、湾曲した束紙幣２ａの紙帯２ｃを挟み込んでカットするキャッチ部１６からなる。なお、クランパ部１５に対向して束紙幣２ａを保持する束開封手段１２の受け部は、後述の図３ないし図５のように湾曲する薄板で構成したり、クランパ部１５に対向する部分に孔を設けたりする構成とするのがよい。
【００１４】
この束開封手段１２を備えることにより、紙幣端部をカットすることなく束紙幣２ａの紙帯２ｃをカットし、繰出しローラ１２ａにて１枚ごとに矢印Ｂ方向に繰り出し、認識部２３まで搬送できる構成となっている。
【００１５】
さらに、実施例１の紙葉類処理装置１は、紙幣を認識する認識部２３と、認識された紙幣を表裏反転部１８により適宜反転し金種ごとに集積する集積部２５と、集積された束を帯封部１９に搬送する束キャリア部１７と、搬送された束を帯封処理する帯封部１９を図１に示したように配置し、入金された紙幣を識別して所望の枚数の紙幣を束ねて帯封し、図示しない帯封部１９の出金口より排出するように構成されている。
【００１６】
図２は、実施例１の紙葉類処理装置の要部の機能ブロック図である。同図において、１１は、入金部２４に相当し行員により束紙幣２ａをセットする束投入部であり、１２は、束投入部１１にセットされた束紙幣２ａの紙帯２ｃをカットして回収することによりバラ紙幣２ｂとする束開封手段であり、１３は、バラ紙幣２ｂを１枚ずつ、認識部２３により計数するバラ紙幣計数手段であり、１４は、計数されたバラ紙幣２ｂを金種別の集積部２５に搬送するバラ紙幣搬送手段である。
【００１７】
束開封手段１２は、束紙幣２ｂの一部を押圧して撓ませるクランパ部１５と、紙帯カット手段付きのキャッチ部１６として紙帯２ｃを確保して切断するキャッチ部上部１６ａとカッタ部１６ｂとからなる。
【００１８】
なお、以上のように、束開封手段１２を入金部２４とは別の場所に設けず、束投入部１１とともに入金部２４に設け、入金部２４にて開封処理を行うような構成としてもよいし、入金部２４とは別に束紙幣２ａ用の投入口を設け、当該投入口近傍に束開封手段１２を設けた構成としてもよい。
【００１９】
（動作）
以上の構成により実施例１の紙葉類処理装置は、以下のように動作する。この動作を図３ないし図５の束開封手段の動作説明図および図６の動作フローチャート図を用いて以下詳細に説明する。
【００２０】
まず、行員が束紙幣２ａを入金部２４の束投入部１１にセットすると（ステップＳ０１）、束投入部１１を図１破線矢印のように時計方向に回動して、束開封手段１２に束紙幣２ａを一束ずつ入金部２４下側の束開封手段１２まで搬送する（ステップＳ０２）。なお、束紙幣２ａの搬送は二本のベルトコンベアなどでクランプして搬送するようにするのがよい。
【００２１】
そして、図３（斜視図）および図４（断面図）の動作説明図に示したように、クランパ部１５により、束紙幣２ａを矢印Ａ方向に押さえ、束紙幣２ａの短手方向に撓ませ、紙帯２ｃと束紙幣２ａの間に空間を設ける（ステップＳ０３）。
【００２２】
そして、キャッチ部上部１６ａとカッタ部１６ｂからなる紙帯カット手段付きのキャッチ部１６を矢印Ｃのように移動させ、紙帯２ｃをキャッチ部１６ａとカッタ部１６ｂで挟んで確保する（ステップＳ０４）。
【００２３】
そして、図５の矢印Ｄのように紙帯カット手段付きのキャッチ部１６を移動させ、カッタ部１６ｂを用いて紙帯２ｃをカットした後（ステップＳ０５）、クランパ部１５による束紙幣２ａの撓みを解除する（ステップＳ０６）。
【００２４】
そして、開封されバラ紙幣群となったバラ紙幣２ｂを、矢印Ｂのように、搬送路を経由してバラ紙幣計数手段１３としての認識部２３に搬送する（ステップＳ０７）。このとき、キャッチ部１６により挟持した紙帯２ｃを回収する（ステップＳ０８）。
【００２５】
そして、バラ紙幣計数手段１３にて、バラ紙幣群の金種識別等により計数処理を実施し（ステップＳ０９）、バラ紙幣搬送手段１４にてそれぞれ金種別の集積部２５に搬送し（ステップＳ１０）、本処理を終了する。
【００２６】
（実施例１の効果）
以上のように、実施例１の紙葉類処理装置によれば、束の紙葉類を投入可能な束投入部と、前記投入された束の紙葉類の略中央部を押圧して短手方向に撓ませるクランパ部と当該撓んだ束の紙葉類の紙帯を挟持して切断し当該紙帯を回収するキャッチ部とからなる束開封手段と、を備え、前記束投入部に投入された束の紙葉類を前記束開封手段により開封し１枚ずつ計数できるようにしたので、紙幣の端部を破損することなく自動で、開封し、計数することができる。
【実施例２】
【００２７】
（構成）
図７は、実施例２の紙葉類処理装置１の要部の機能ブロック図である。同図に示したように、実施例２の紙葉類処理装置１は、紙帯２ｃをカットした結果を判定できるカット結果判定手段２１を束開封手段２２に追加し、束開封手段２２の後段に開封できなかった束紙幣２ａを行員に返却する束返却手段３１を設けた構成となっている。なお、束返却手段３１を設けず、開封できなかったときは、係員を呼び出し、開封できなかった束紙幣２ａを取り除かせるようにしてもよい。その他の要部の機能ブロックの構成および紙葉類処理装置の構成は、実施例１の構成と同様であるので簡略化のためにその詳細な説明を省略する。
【００２８】
（動作）
以上の構成により実施例２の紙葉類処理装置は、以下のように動作する。この動作を図８の束開封手段の動作説明図および図９の動作フローチャート図を用いて以下詳細に説明する。
【００２９】
まず、行員が束紙幣２ａを入金部２４の束投入部１１にセットすると、束投入部１１を図１破線矢印のように時計方向に回動して、束投入部１１から束開封手段１２に束紙幣２ａを一束ずつ入金部２４下側の束開封手段１２まで搬送し、束開封処理として、クランパ部１５により束紙幣２ａを押圧して束紙幣２ａの短手方向に撓ませ、紙帯２ｃと束紙幣２ａの間に空間を設け、紙帯カット手段付きのキャッチ部１６を移動させ、紙帯２ｃをキャッチ部１６ａとカッタ部１６ｂで挟んで確保し、カッタ部１６ｂを用いて紙帯２ｃをカットした後、クランパ部１５による束紙幣２ａの撓みを解除する（ステップＳ０１〜Ｓ０６）。
【００３０】
そして、キャッチ部１６が紙帯２ｃを挟んだ状態のまま、繰出しローラ１２ａにて低速で矢印Ｂ方向に所定の距離繰出して搬送し（ステップＳ１１）、繰出し確認センサ１２ｓにより紙幣の繰出しが正常に行われたかどうかを判定する（ステップＳ１２）。
【００３１】
そして、正常に繰出しができなかった場合は、図８のようにキャッチ部１６により紙帯２ｃを確保したが切断に失敗し束の状態のままとなっていると判断し、バラ紙幣計数手段１３への搬送を中止する（ステップ１３）。
【００３２】
そして、切断の失敗が所定回数内のときは（ステップＳ１４）、正常に移動できなかった束紙幣２ａを束開封手段１２に戻して（ステップＳ１７）、再度、開封処理を実行する（連結子２Ａ）。
【００３３】
そして、所定回数、リトライを実施しても開封できなかった場合は、束返却手段３１にて束紙幣２ａを入金部２４に搬送し（ステップＳ１５）、行員に束紙幣２ａを返却し（ステップＳ１６）、本処理を終了する。
【００３４】
一方、正常に繰出しできた場合は、紙帯２ｃのカットが正常に行われたと判断してバラ紙幣計数手段１３へ搬送する。このとき、キャッチ部１６により挟持した紙帯２ｃを回収する。そして、実施例１と同様に金種識別、計数を実施し、バラ紙幣搬送手段１４により金種別の集積部２５に搬送する（ステップＳ０７〜Ｓ１０）。
【００３５】
（実施例２の効果）
以上のように、実施例２の紙葉類処理装置によれば、束開封手段に紙帯をカットした結果を判定できるカット結果判定手段および束紙幣返却手段を設けたので、実施例１の効果に加え、紙帯をカットできず束紙幣を開封できなかったことを検出して当該束紙幣を行員に返却することができ、搬送障害等の発生を防止することができる。
【実施例３】
【００３６】
（構成）
図１０は、実施例３の紙葉類処理装置の要部の機能ブロック図である。同図に示したように、実施例３の紙葉類処理装置では、バラ紙幣計数手段３２に分離可否判定手段３２を設けた構成となっている。また、実施例２と同様に、開封できなかった束紙幣２ａを行員に返却する束返却手段３１を設けている。束返却手段３１を設けず、開封できなかったときは、係員を呼び出し、開封できなかった束紙幣２ａを取り除かせるようにしてもよい。
【００３７】
実施例３のバラ紙幣計数手段３２は、図１１に示したように、束紙幣２ａをビルプレス３２ｂにて上部より押圧し、束紙幣２ａのままでは通過できない破線部の通過孔３２ｅから繰出しローラ３２ｃにて矢印Ｅ方向に繰り出し、繰出し確認センサ３２ｓにて繰出しを確認し、分離ローラ３２ｄにて１枚ごとの紙幣に分離して認識部２３に搬送できる構成となっている。
【００３８】
（動作）
以上の構成により実施例３の紙葉類処理装置は、以下のように動作する。この動作を図１１のバラ紙幣計数手段の動作説明図および図１２の動作フローチャート図を用いて以下詳細に説明する。
【００３９】
まず、行員が束紙幣２ａを入金部２４の束投入部１１にセットすると、束投入部１１を図１破線矢印のように時計方向に回動して、束投入部１１から束開封手段１２に束紙幣２ａを一束ずつ入金部２４下側の束開封手段１２まで搬送し、束開封処理として、クランパ部１５により束紙幣２ａを押圧して束紙幣２ａの短手方向に撓ませ、紙帯２ｃと束紙幣２ａの間に空間を設け、紙帯カット手段付きのキャッチ部１６を移動させ、紙帯２ｃをキャッチ部１６ａとカッタ部１６ｂで挟んで確保し、カッタ部１６ｂを用いて紙帯２ｃをカットした後、クランパ部１５による束紙幣２ａの撓みを解除する（ステップＳ０１〜Ｓ０６）。
【００４０】
そして、開封されバラ紙幣群となったバラ紙幣２ｂを、搬送路を経由してバラ紙幣計数手段１３に搬送する。このとき、キャッチ部１６により挟持した紙帯２ｃを回収する（ステップＳ０７、Ｓ０８）。
【００４１】
そして、バラ紙幣計数手段１３にて、束紙幣２ａの分離を実行する前に、ビルプレス３２ｂにてローラ３２ｃに押圧し、ローラ３２ｃを低速にて回転し、バラ紙幣群の一番下側の紙幣１枚を搬送路に、図１１矢印Ｅのように繰り出し（ステップＳ３１）、繰出し確認センサ３２ｓにより繰り出すことができたかどうかを判定する（ステップＳ３２）。
【００４２】
そして、正常に繰り出すことができなかった場合は、紙帯２ｃのキャッチが失敗してバラ紙幣群が束の状態のままバラ紙幣計数手段１３に束搬送されてしまったと判断し、分離動作を中止する（ステップＳ３３）。
【００４３】
そして、失敗が所定回数内のときは、正常に移動できなかった束紙幣２ａを束開封手段１２に戻して、再度、開封処理を実行し、所定回数、リトライを実施しても開封できなかった場合は、束返却手段３１にて束紙幣２ａを入金部２４に搬送し、行員に束を返却し、本処理を終了する（ステップＳ１４〜Ｓ１７、連結子３Ａ）。
【００４４】
一方、正常に繰り出すことができた場合は、１枚ずつ分離ローラ３２ｄにより分離して搬送し、実施例１と同様に金種識別等により計数を実施し、バラ紙幣搬送手段１４にてそれぞれ金種別の集積部２５に搬送し（ステップＳ０９、Ｓ１０）、本処理を終了する。
【００４５】
（実施例３の効果）
以上のように、実施例３の紙葉類処理装置によれば、バラ紙幣計数手段に分離可否判定手段を設け、１枚ごとに繰出し搬送できたかどうかを判定できるようにしたので、実施例２の効果に加え、キャッチ部にてキャッチできず束紙幣を開封できないままバラ紙幣計数手段へ搬送されてしまっても、これを確実に検出することができ、搬送エラー等の障害の発生を確実に防止することができる。
【実施例４】
【００４６】
（構成）
図１３は、実施例４の紙葉類処理装置の要部の機能ブロック図である。同図に示したように、実施例４の紙葉類処理装置１は、束開封手段４２に束引抜き手段４７を新たに設け、キャッチ部４６を、紙帯カット手段を持たない構成としている。その他の構成は実施例１の紙葉類処理装置と同様であるので簡略化のためにその詳細な説明は省略する。
【００４７】
（動作）
以上の構成により実施例４の紙葉類処理装置は、以下のように動作する。この動作を図１４の束開封手段の動作説明図および図１５の動作フローチャート図を用いて以下詳細に説明する。
【００４８】
まず、行員が束紙幣２ａを入金部２４である束投入部１１にセットすると、束投入部１１を図１破線矢印のように時計方向に回動して、束投入部１１から束開封手段４２に束紙幣２ａを一束ずつ入金部２４下側の束開封手段４２まで搬送し、束開封処理として、クランパ部１５により束紙幣２ａを押圧して束紙幣２ａの短手方向に撓ませ、紙帯２ｃと束紙幣２ａの間に空間を設け、キャッチ部４６を図１４矢印Ｃのように移動させ、紙帯２ｃをキャッチ部上部４６ａとキャッチ部下部４６ｂで挟んで確保する（ステップＳ０１〜Ｓ０４）。
【００４９】
そして、キャッチ部４６を紙幣の長手方向（矢印Ｆ方向）に引き（ステップＳ４５）、キャッチ部４６が確保した紙帯２ｃを引くことで、紙帯２ｃから束紙幣２ａを引き抜く（ステップＳ４６）。
【００５０】
そして、実施例１と同様に、クランパ部１５による束紙幣２ａの撓みを解除し、矢印Ｂのようにバラ紙幣計数手段１３へ繰出して搬送する。このとき、キャッチ部４６により紙帯２ｃを回収する。そして、金種識別、計数を実施し、バラ紙幣搬送手段１４により金種別の集積部２５に搬送する（ステップＳ０６〜Ｓ１０）。
【００５１】
（実施例４の効果）
以上のように、実施例４の紙葉類処理装置によれば、束開封手段に束引抜き手段を新たに設け、キャッチ部を、紙帯カット手段を持たない構成とし、束紙幣の短手方向に撓ませて、紙帯をキャッチ部により挟持して長手方向に引抜くようにしたので、実施例１と同様、紙幣の端部を破損することなく自動で、開封し計数することができる。
【実施例５】
【００５２】
（構成）
図１６は、実施例５の紙葉類処理装置の要部の機能ブロック図である。同図に示したように、実施例５の紙葉類処理装置１は、束開封手段５２にヒータ部５３を新たに設け、キャッチ部４６を、紙帯カット手段を持たない構成としている。その他の構成は実施例１の紙葉類処理装置と同様であるので簡略化のためにその詳細な説明は省略する。
【００５３】
（動作）
以上の構成により実施例５の紙葉類処理装置は、以下のように動作する。この動作を図１７、図１８の束開封手段の動作説明図および図１９の動作フローチャート図を用いて以下詳細に説明する。
【００５４】
まず、行員が束紙幣２ａを入金部２４である束投入部１１にセットすると、束投入部１１を図１破線矢印のように時計方向に回動して、束投入部１１から束開封手段４２に束紙幣２ａを一束ずつ入金部２４下側の束開封手段４２まで搬送し、束開封処理として、クランパ部１５により束紙幣２ａを押圧して束紙幣２ａの短手方向に撓ませ、紙帯２ｃと束紙幣２ａの間に空間を設け、キャッチ部４６を移動させ、紙帯２ｃをキャッチ部上部４６ａとキャッチ部下部４６ｂで挟んで確保し、クランパ部１５による束紙幣２ａの撓みを解除する（ステップＳ０１〜Ｓ０４、Ｓ０６）。
【００５５】
そして、図１７破線部のように束紙幣２ａの紙帯２ｃの糊付け箇所５４をヒータ部５３により熱し（ステップＳ５１）、図１８に示したように、糊を融解して束を開封する（ステップＳ５２）。
【００５６】
そして、実施例１と同様に、開封されバラ紙幣群となったバラ紙幣２ｂをバラ紙幣計数手段１３へ搬送する。このとき、キャッチ部４６により紙帯２ｃを回収する。そして、金種識別、計数処理を実施し、バラ紙幣搬送手段１４により金種別の集積部２５に搬送する（ステップＳ０７〜Ｓ１０）。
【００５７】
（実施例５の効果）
以上のように、実施例５の紙葉類処理装置によれば、束開封手段にヒータ部を新たに設け、キャッチ部を、紙帯カット手段を持たない構成とし、束紙幣の短手方向に撓ませて紙帯をキャッチ部により挟持し、撓みを解除した後、ヒータ部により紙帯の糊付け箇所を熱して、糊を融解して束を開封するようにしたので、実施例１と同様、紙幣の端部を破損することなく自動で、開封し計数することができる。
【産業上の利用可能性】
【００５８】
以上述べたように、本発明は、紙幣等の紙葉類を紙帯で結束された束の紙葉類を取り扱う紙葉類処理装置などに広く利用することができる。
【符号の説明】
【００５９】
１    紙葉類処理装置
２ａ  束紙幣
２ｃ  紙帯
１１  束投入部
１２、２２、  束開封手段
１２ａ  繰出しローラ
１２ｓ、３２ｓ  繰出し確認センサ
１３  バラ紙幣計数手段
１４  バラ紙幣搬送手段
１５  クランパ部
１６、４６  キャッチ部
１６ａ、４６ａ  キャッチ部上部
１６ｂ  カッタ部
２１  カット結果判定手段
２３  認識部
２４  入金部
２５  集積部
３１、４２  束返却手段
３２  バラ紙幣計数手段
３２ａ  分離可否判定手段
３２ｂ  ビルプレス
３２ｃ  繰出しローラ
３２ｄ  分離ローラ
３２ｅ  通過孔
４６ｂ  キャッチ部下部
４７  束引抜手段
５３：ヒータ部
５４：紙帯の糊付け箇所
【図１】
2011123847.tif 000003
【図２】
2011123847.tif 000004
【図３】
2011123847.tif 000005
【図４】
2011123847.tif 000006
【図５】
2011123847.tif 000007
【図６】
2011123847.tif 000008
【図７】
2011123847.tif 000009
【図８】
2011123847.tif 000010
【図９】
2011123847.tif 000011
【図１０】
2011123847.tif 000012
【図１１】
2011123847.tif 000013
【図１２】
2011123847.tif 000014
【図１３】
2011123847.tif 000015
【図１４】
2011123847.tif 000016
【図１５】
2011123847.tif 000017
【図１６】
2011123847.tif 000018
【図１７】
2011123847.tif 000019
【図１８】
2011123847.tif 000020
【図１９】
2011123847.tif 000021